(57)【要約】【課題】記憶メディアを使用することなく、価値の高低の影響を受けることもない景品情報配信システム及び情報配信サーバを提供する。【解決手段】  パチンコホール等の遊技店には、景品として、ＵＲＬ及びＰＩＮナンバーが記録されたトレーディングカード３が設置される。そして、情報配信サーバ１１は、トレーディングカード３に記録されたＵＲＬを利用してアクセスされた外部端末４からＰＩＮナンバーが入力されると、ＵＲＬ又はＰＩＮナンバーに対応する配信情報Ａ２０等を外部端末４に対して送信する。【選択図】図１
2011015855.tif 000002
【特許請求の範囲】
【請求項１】
所定のアクセス情報又は認証情報に対応する所定の配信情報が保存され、通信網を介して前記配信情報を外部へ送信可能な情報配信サーバと、
前記情報配信サーバへのアクセス情報及び前記認証情報を記録した景品カードと、
前記景品カードの前記アクセス情報から前記通信網を介して前記情報配信サーバにアクセス可能な外部端末と、を備え、
前記情報配信サーバは、前記アクセス情報を利用してアクセスされた前記外部端末から前記認証情報が入力されると、前記アクセス情報又は認証情報に対応する前記配信情報を前記外部端末に対して送信する
ことを特徴とする景品情報配信システム。
【請求項２】
前記情報配信サーバは、前記認証情報の入力に対する前記配信情報の送信を記録し、２回目以降の前記認証情報の入力に対しては前記配信情報の送信を行わないことを特徴とする請求項１に記載の景品情報配信システム。
【請求項３】
前記景品カードの前記アクセス情報又は認証情報は、遊技機における遊技媒体の払い出し数に応じて記録されることを特徴とする請求項１又は２に記載の景品情報配信システム。
【請求項４】
所定のアクセス情報又は認証情報に対応する所定の配信情報が保存され、通信網を介して前記配信情報を外部へ送信可能な情報配信サーバであって、
外部端末から前記アクセス情報を利用してアクセスされると、前記外部端末から前記認証情報が入力された場合にのみ前記アクセス情報又は認証情報に対応する前記配信情報を前記外部端末に対して送信することを特徴とする情報配信サーバ。
【発明の詳細な説明】
【技術分野】
【０００１】
本発明は、パチンコホール等の景品交換に利用できる景品情報配信システム及び情報配信サーバに関するものである。
【背景技術】
【０００２】
従来から存在する景品交換システムは、パチンコ機等の遊技機による結果として遊技者に獲得出玉等の有価価値が付与され、パチンコ店内の景品カウンタで、遊技者が選択した特殊景品や一般景品と交換されることが知られている。
【０００３】
また、遊技機による遊技により遊技者の所有となった価値の大きさを、音楽データ等のデジタル情報と景品交換することのできる景品交換システムが知られている（特許文献１参照）。
【先行技術文献】
【特許文献】
【０００４】
【特許文献１】特開２００１−３１４６３９号公報
【発明の概要】
【発明が解決しようとする課題】
【０００５】
しかしながら、引用文献１のような景品交換システムでは、音楽データ等のデジタル情報を保存する記憶メディアを予め手配する必要があり、価値の低い場合、景品の価値に比べて記憶メディア自体の単価が割高になってしまうといった問題があった。
【０００６】
そこで、本発明は、上記従来の問題点を解消し、記憶メディアを使用することなく、価値の高低の影響を受けることもない景品情報配信システム及び情報配信サーバを提供することにある。
【課題を解決するための手段】
【０００７】
上記目的を達成するために、請求項１に記載の景品情報配信システムは、所定のアクセス情報又は認証情報に対応する所定の配信情報が保存され、通信網を介して前記配信情報を外部へ送信可能な情報配信サーバと、前記情報配信サーバへのアクセス情報及び前記認証情報を記録した景品カードと、前記景品カードの前記アクセス情報から前記通信網を介して前記情報配信サーバにアクセス可能な外部端末と、を備え、前記情報配信サーバは、前記アクセス情報を利用してアクセスされた前記外部端末から前記認証情報が入力されると、前記アクセス情報又は認証情報に対応する前記配信情報を前記外部端末に対して送信することにある。
【０００８】
請求項２に記載の発明の構成は、請求項１に記載の発明に加え、前記情報配信サーバは、前記認証情報の入力に対する前記配信情報の送信を記録し、２回目以降の前記認証情報の入力に対しては前記配信情報の送信を行わないことにある。
【０００９】
請求項３に記載の発明の構成は、請求項１又は２に記載の発明に加え、前記景品カードの前記アクセス情報又は認証情報は、遊技機における遊技媒体の払い出し数に応じて記録されることにある。
【００１０】
請求項４に記載の情報配信サーバは、所定のアクセス情報又は認証情報に対応する所定の配信情報が保存され、通信網を介して前記配信情報を外部へ送信可能な情報配信サーバであって、外部端末から前記アクセス情報を利用してアクセスされると、前記外部端末から前記認証情報が入力された場合にのみ前記アクセス情報又は認証情報に対応する前記配信情報を前記外部端末に対して送信することにある。
【発明の効果】
【００１１】
本発明によれば、記憶メディアが不要であることから、記憶メディア自体の単価を気にする必要がなく、景品カードの価値が低い場合であっても、音楽データ等の配信情報を価値とした景品交換が可能となる。また、景品カード自体の製造単価が低いので、製造コストを安価に下げることも可能となる。加えて、景品カードが在庫として残った場合であっても、景品カード自体の製造単価が低いことから、在庫を抱えるリスクを低く抑えることが可能となる。
また、景品カードを開封しなければ、アクセス情報と認証情報との取得ができないため、これらを転用したとしても、結果として景品カードを消費したこととなり、模倣されることがない。たとえ、景品カードを模倣して製造しても、予めアクセス情報と認証情報とを手配する必要があるため、同じ景品情報配信システムを構成することが容易ではない。
加えて、通信網を使用するため、配信情報の提供が容易であるとともに、情報配信サーバの構築及び維持を安価に抑えることが可能である。
【００１２】
請求項２に記載の発明は、請求項１に記載の発明に加え、景品カードを開封して配信情報を取得するシステムであるため、景品カードを開封した後は再利用することができない。その結果、景品カードの消費に繋がり、新たな景品カードを製造準備することとなり、パチンコホール等の景品交換システムとして好適に利用できる。
【００１３】
請求項３に記載の発明は、請求項１又は２に記載の発明に加え、景品所有者の希望する配信情報を、景品所有者が必要に応じて情報配信サーバから選択することが可能となる。
【００１４】
請求項４に記載の発明によれば、通信網を使用するため、配信情報の提供が容易であるとともに、情報配信サーバの構築及び維持を安価に押さえることが可能である。
【図面の簡単な説明】
【００１５】
【図１】景品所有者が情報を取得する景品情報配信システムの説明図である。
【図２】配信情報を景品所有者に配信する景品情報配信方法を説明する説明図である。
【発明を実施するための形態】
【００１６】
以下、本発明の実施の形態を図面に基づいて説明する。
【００１７】
図１に示すように、景品情報配信システム１は、所定のＵＲＬ（Ｕｎｉｆｏｒｍ  Ｒｅｓｏｕｒｃｅ  Ｌｏｃａｔｏｒ）又はＰＩＮナンバーに対応する所定の配信情報Ａ２０等が保存され、インターネット１０を介して配信情報Ａ２０等を外部へ送信可能な情報配信サーバ１１と、パチンコホール等の遊技店に景品として設置され、情報配信サーバ１１へのＵＲＬ及びＰＩＮナンバーを記録したトレーディングカード３と、このトレーディングカード３のＵＲＬからインターネット１０を介して情報配信サーバ１１にアクセス可能な外部端末４と、を備えている。このＵＲＬが、本発明のアクセス情報であり、ＰＩＮナンバーが本発明の認証情報である。また、インターネット１０が、本発明の通信網である。
【００１８】
このうち、情報配信サーバ１１は、インターネット１０を介して外部と通信可能とする通信Ｉ／Ｆ部１５と、制御指令を行う制御部１６と、配信情報Ａ２０等を保存する記録部１７と、を備えている。
【００１９】
そして、制御部１６は、記録部１７のデータベース１８に記録されたＰＩＮナンバーと、トレーディングカード３に記載されたＰＩＮナンバーとの照合の他に、ＰＩＮナンバーの価値を、配信情報Ａ２０等と交換可能とする制御指令を行う。
【００２０】
次に、記録部１７は、トレーディングカード３に記載されたＰＩＮナンバーの入力による情報配信が終了した後に、ＰＩＮナンバーを記録することに加え、後述する会員ＩＤやＰＩＮナンバーの価値を保存するデータベース１８と、トレーディングカード３に記載されている配信情報Ａ２０を景品所有者２に配信する配信情報保存部１９と、で構成される。
このうち、配信情報保存部１９には、配信情報Ａ２０の他に、音楽情報に加えて動画情報、その他にも景品所有者２の好む各種情報である配信情報Ｂ２１も保存されている。
【００２１】
そして、この情報配信サーバ１１は、ＵＲＬを利用してアクセスされた外部端末４からＰＩＮナンバーが入力されると、ＵＲＬ又はＰＩＮナンバーに対応する配信情報Ａ２０等を外部端末４に対して送信する。
【００２２】
また、トレーディングカード３は、配信情報Ａ２０が外部に視認できないように包装されている。このトレーディングカード３が、本発明の景品カードである。
【００２３】
次に、景品所有者２が、景品として入手したトレーディングカード３に記載されているＵＲＬを外部端末４に入力することで、インターネット１０を介して情報配信サーバ１１へとアクセスし、この情報配信サーバ１１の指示に従い、配信情報Ａ２０の配信を受けるまでの手続と、トレーディングカード３に記載されている遊技媒体の払い出し数に応じて、同等の価値を有する配信情報Ａ２０をポイントとして情報配信サーバ１１に蓄える手続きと、について以下に詳細に説明する。
【００２４】
まず初めに、景品所有者２は、景品として入手したトレーディングカード３の包装を開封し、このトレーディングカード３に記載されている情報配信サーバ１１のＵＲＬを取得する（ＳＴ１０）。そして、このＵＲＬを、パソコンや携帯端末等の外部端末４に入力することにより、情報配信サーバ１１へとアクセスする（ＳＴ１１）。
【００２５】
次に、情報配信サーバ１１は、会員ＩＤ入力画面で会員ＩＤの入力を求め、景品所有者２が既存の登録者であるか否かについて確認する（ＳＴ１２）。このとき、景品所有者２が既存の登録者である場合は、会員ＩＤを入力する（ＳＴ１３）。これに対し、情報配信サーバ１１は、この会員ＩＤが既に登録されている正しい会員ＩＤであるか否かについて、データベース１８の記録情報と照合する（ＳＴ１４）。登録されていない会員ＩＤであるか、間違った会員ＩＤである場合は、ステップ１３の会員ＩＤ入力画面に戻り、再度会員ＩＤの入力を求める。
【００２６】
そして、会員ＩＤが正しい場合は、次に表示されるＰＩＮナンバー入力画面でトレーディングカード３に記載されている配信情報Ａ２０のＰＩＮナンバーを入力する（ＳＴ１５）。ここでも、ＳＴ１４と同様に、入力されたＰＩＮナンバーが正しいＰＩＮナンバーであるか否かについて、データベース１８に記録されているＰＩＮナンバーと照合する（ＳＴ１６）。正しいＰＩＮナンバーでない場合は、ステップ１５のＰＩＮナンバー入力画面に戻り、再度ＰＩＮナンバーの入力を求める。
【００２７】
次に、このＰＩＮナンバーが既に情報配信の終了がデータベース１８に記録されたものであるか、データベース１８に記録されているＰＩＮナンバーと照合する（ＳＴ１７）。その結果、既に情報配信の終了がデータベース１８に記録されたＰＩＮナンバーと一致する場合は、ステップ１５のＰＩＮナンバー入力画面に戻り、再度ＰＩＮナンバーの入力を求める。
【００２８】
これらの結果、正しい会員ＩＤであるとともに、正しいＰＩＮナンバーであるとデータベース１８で確認され、さらに、既に情報配信の終了がデータベース１８に記録されたＰＩＮナンバーと一致しない場合は、ＰＩＮナンバーに付与された配信情報Ａ２０と同等の価値であるポイントとして情報配信サーバ１１に蓄えるか否かを決定する（ＳＴ１８）。
この時、情報配信サーバ１１にポイントとして蓄えるときは、蓄えたポイントが表示される（ＳＴ１９）。そして、データベース１８は、蓄えたポイントと交換可能な配信情報Ｂ２１があるときは（ＳＴ２０）、景品所有者２に案内する（ＳＴ２１）。これに対し、蓄えたポイントが配信情報Ｂ２１と交換できる程度にポイントが貯められていないときは、ログアウトする（ＳＴ２８）。
【００２９】
次に、景品所有者２は、蓄えたポイントを使用するか否かについて決定する（ＳＴ２２）。
この時、蓄えたポイントと交換可能な情報Ｂ２１が表示されるので、希望する情報Ｂ２１を選択する（ＳＴ２３）。そして、情報配信サーバ１１は、選択された配信情報Ｂ２１の配信を行う（ＳＴ２４）。その後、配信情報Ｂ２１の配信が終了した後は、配信の終了をデータベース１８に記録する（ＳＴ２５）。
【００３０】
一方、ステップ１８において、情報配信サーバ１１にＰＩＮナンバーに付与された情報Ａ２０をポイントとして蓄えないときは、配信情報保存部１９に記録されているＰＩＮナンバーに対応した配信情報Ａ２０の配信を行う（ＳＴ２６）。その後、配信情報Ａ２０の配信が終了した後は、配信の終了をデータベース１８に記録する（ＳＴ２７）。
【００３１】
また、ステップ２０において、情報配信サーバ１１にＰＩＮナンバーに付与された配信情報Ａ２０をポイントとして蓄え、情報配信サーバ１１から配信情報Ａ２０の配信を受けない場合は、ログアウトする（ＳＴ２８）。
【００３２】
これに対し、ステップ１２において、景品所有者２が既存の登録者でない場合は、新規の会員登録を行うか否かを選択する（ＳＴ３０）。
新規の会員登録を行う場合は、入力画面に表示される会員ＩＤ発行に必要な情報を入力し、新規会員ＩＤを発行する（ＳＴ３１）。そして、景品所有者２は、会員ＩＤ入力画面に新しく発行された新規会員ＩＤを入力する（ＳＴ３２）。次に、情報配信サーバ１１は、データベース１８に記録されている会員ＩＤとこの新規会員ＩＤが正しい会員ＩＤであるか否かについて照合する（ＳＴ３３）。このとき、正しい会員ＩＤでない場合は、ステップ３２の会員ＩＤ入力画面に戻る。
【００３３】
そして、正しい会員ＩＤである場合は、次に表示されるＰＩＮナンバー入力画面でＰＩＮナンバーの入力を行う（ＳＴ３４）。制御部１６は、このＰＩＮナンバーが正しいＰＩＮナンバーであるか否かについて、データベース１８に記録されているＰＩＮナンバーと照合する（ＳＴ３５）。
【００３４】
次に、このＰＩＮナンバーが既に情報配信の終了がデータベース１８に記録されたものであるか、データベース１８に記録されているＰＩＮナンバーと照合する（ＳＴ３６）。その結果、既に情報配信の終了がデータベース１８に記録されたＰＩＮナンバーと一致する場合は、ステップ１５のＰＩＮナンバー入力画面に戻り、再度ＰＩＮナンバーの入力を求める。
【００３５】
これらの結果、正しい会員ＩＤであるとともに、正しいＰＩＮナンバーであるとデータベース１８で確認され、さらに、既に情報配信の終了がデータベース１８に記録されたＰＩＮナンバーと一致しない場合は、ＰＩＮナンバーに付与された配信情報Ａ２０と同等の価値であるポイントとして情報配信サーバ１１に蓄えるか否かを決定する（ＳＴ３７）。
この時、情報配信サーバ１１に配信情報Ａ２０をポイントとして蓄えるときは、蓄えたポイントが表示される（ＳＴ３８）。そして、データベース１８は、蓄えたポイントと交換可能な配信情報Ｂ２１があるときは（ＳＴ３９）、景品所有者２に案内する（ＳＴ４０）。これに対し、蓄えたポイントが配信情報Ｂ２１と交換できる程度にポイントが貯められていないときは、ログアウトする（ＳＴ６０）。
【００３６】
次に、景品所有者２は、蓄えたポイントを使用するか否かについて決定する（ＳＴ４１）。この時、蓄えたポイントに応じて交換可能な各種情報が表示されるので、希望する配信情報Ｂ２１を選択する（ＳＴ４２）。そして、情報配信サーバ１１は、選択された配信情報Ｂ２１の配信を行う（ＳＴ４３）。その後、配信情報Ｂ２１の配信が終了した後は、配信の終了をデータベース１８に記録する（ＳＴ４４）。
【００３７】
これに対し、ステップ３０において、新規の会員登録を行わない場合は、ＰＩＮナンバー入力画面でＰＩＮナンバーの入力を行う（ＳＴ４５）。制御部１６は、このＰＩＮナンバーが正しいＰＩＮナンバーであるか否かについて、データベース１８に記録されているＰＩＮナンバーと照合する（ＳＴ４６）。
【００３８】
次に、このＰＩＮナンバーが既に情報配信の終了がデータベース１８に記録されたものであるか、データベース１８に記録されているＰＩＮナンバーと照合する（ＳＴ４７）。その結果、既に情報配信の終了がデータベース１８に記録されたＰＩＮナンバーと一致する場合は、ステップ４５のＰＩＮナンバー入力画面に戻り、再度ＰＩＮナンバーの入力を求める。
【００３９】
これらの結果、正しいＰＩＮナンバーであるとデータベース１８で確認され、さらに、既に情報配信の終了がデータベース１８に記録されたＰＩＮナンバーと一致しない場合は、情報配信サーバ１１が、選択された配信情報Ａ２０の配信を行う（ＳＴ４８）。その後、配信情報Ａ２０の配信が終了した後は、配信の終了をデータベース１８に記録する（ＳＴ４９）。
【００４０】
他にも、ステップ３５において、正しいＰＩＮナンバーでない場合は、新規会員ＩＤ登録用の情報配信のみ行う（ＳＴ５０）。そして、この情報配信が終了した後は、配信が終了したことをデータベース１８に記録する（ＳＴ５１）。
【００４１】
また、ステップ３７において、情報配信サーバ１１にＰＩＮナンバーに付与された配信情報Ａ２０をポイントとして蓄えないときは、配信情報保存部１９に記録されているＰＩＮナンバーに対応した配信情報Ａ２０の配信を行う（ＳＴ５５）。その後、配信情報Ａ２０の配信が終了した後は、配信の終了をデータベース１８に記録する（ＳＴ５６）。
【００４２】
なお、ステップ３９において、情報配信サーバ１１にＰＩＮナンバーに付与された配信情報Ａ２０をポイントとして蓄え、情報配信サーバ１１から情報の配信を受けない場合は、ログアウトする（ＳＴ６０）。
【００４３】
上記の如く、景品情報配信システム１は、所定のＵＲＬ又はＰＩＮナンバーに対応する所定の配信情報Ａ２０等が保存され、インターネット１０を介して配信情報Ａ２０等を外部へ送信可能な情報配信サーバ１１と、この情報配信サーバ１１へのＵＲＬ及びＰＩＮナンバーを記録したトレーディングカード３と、このトレーディングカード３のＵＲＬからインターネット１０を介して情報配信サーバ１１にアクセス可能な外部端末４と、を備え、情報配信サーバ１１は、ＵＲＬを利用してアクセスされた外部端末４からＰＩＮナンバーが入力されると、ＵＲＬ又はＰＩＮナンバーに対応する配信情報Ａ２０等を外部端末４に対して送信することにある。
その結果、記憶メディアが不要であることから、記憶メディア自体の単価を気にする必要がなく、景品の価値が低い場合であっても、音楽データ等の配信情報Ａ２０を価値とした景品交換が可能となる。また、トレーディングカード３自体の製造単価が低いので、製造コストを安価に下げることも可能となる。加えて、トレーディングカード３が在庫として残った場合であっても、トレーディングカード３自体の製造単価が低いことから、在庫を抱えるリスクを低く抑えることが可能となる。
また、トレーディングカード３を開封しなければ、ＵＲＬとＰＩＮナンバーとの取得ができないため、これらを転用したとしても、結果としてトレーディングカード３を消費したこととなり、模倣されることがない。たとえ、トレーディングカード３を模倣して製造しても、予めＵＲＬとＰＩＮナンバーとを手配する必要があるため、同じ景品情報配信システム１を構成することが容易ではない。
加えて、インターネット１０を使用するため、配信情報Ａ２０及び配信情報Ｂ２１の提供が容易であるとともに、情報配信サーバ１１の構築及び維持を安価に抑えることが可能である。
【００４４】
そして、情報配信サーバ１１は、ＰＩＮナンバーの入力に対する配信情報Ａ２０等の送信を記録し、２回目以降のＰＩＮナンバーの入力に対しては配信情報Ａ２０等の送信を行わないことにある。
その結果、トレーディングカード３を開封して配信情報Ａ２０を取得するシステムであるため、トレーディングカード３を開封した後は再利用することができない。その結果、トレーディングカード３の消費に繋がり、新たなトレーディングカード３を製造準備することとなる。
【００４５】
他にも、トレーディングカード３のＵＲＬ又はＰＩＮナンバーは、遊技機における遊技媒体の払い出し数に応じて記録されることにある。
その結果、景品所有者２の希望する配信情報Ａ２０等を、景品所有者２が必要に応じて情報配信サーバ１１から選択することが可能となり、パチンコホール等の景品交換システムとして好適に利用できる。
【００４６】
また、所定のＵＲＬ又はＰＩＮナンバーに対応する所定の配信情報Ａ２０等が保存され、インターネット１０を介して配信情報Ａ２０等を外部へ送信可能な情報配信サーバ１１は、外部端末４からＵＲＬを利用してアクセスされると、外部端末４からＰＩＮナンバーが入力された場合にのみＵＲＬ又はＰＩＮナンバーに対応する配信情報Ａ２０等を外部端末４に対して送信することにある。
その結果、インターネット１０を使用するため、配信情報Ａ２０等の提供が容易であるとともに、情報配信サーバ１１の構築及び維持を安価に押さえることが可能である。
【００４７】
なお、本発明の景品情報配信システムの構成は、上記実施形態の態様に何ら限定されるものではなく、ＵＲＬや暗証番号、景品等の構成を、本発明の趣旨を逸脱しない範囲で必要に応じて適宜変更することができる。
【００４８】
例えば、アクセス情報は、必ずしもＵＲＬである必要はなく、ＱＲコードやバーコード等を用いても良く、トレーディングカード３に備えられ、情報提供サーバ１１にアクセス可能なものであれば適宜変更可能である。
【００４９】
また、このアクセス情報は、個々のトレーディングカード３毎に配信情報の価値に対応した専用のＵＲＬ先が記載されているものとしても良い。この場合、ＰＩＮナンバーは情報配信サーバ１１の照合にのみ用いるものとしても良く、適宜変更可能である。
【００５０】
他にも、外部端末４は、パソコンや携帯端末等である必要はなく、景品情報提供サーバ１１にアクセス可能なものであれば適宜変更可能である。
【００５１】
他にも、ＰＩＮナンバーの価値の一部を、データベース１８に保存するとともに、残りの価値については配信情報Ｂ２１と交換可能としても良く、トレーディングカード３に備えられたＵＲＬから情報配信サーバ１１にアクセスし、ＰＩＮナンバーで認証を行い、データベース１８で管理可能なものであれば適宜変更可能である。
【００５２】
また、トレーディングカード３には、予めＰＩＮナンバーの価値の一部を、データベース１８に保存するとともに、配信情報Ａ２０の提供を受けることが可能としても良く、トレーディングカード３に備えられたＵＲＬから情報配信サーバ１１にアクセスし、ＰＩＮナンバーで認証を行い、データベース１８で管理可能なものであれば適宜変更可能である。
【００５３】
他にも、配信情報Ａ２０や配信情報Ｂ２１は、情報全体を配信するものである必要はなく、配信時間で部分的に区切ったものとしても良く、データベース１８で管理可能なものであれば適宜変更可能である。
【００５４】
また、情報配信システム１は、配信情報Ａ２０や配信情報Ｂ２１の配信回数を１回だけでなく、複数回に定めたものであっても良く、一定回数の配信が終了した後、ＰＩＮナンバーをデータベース１８で管理可能なものであれば適宜変更可能である。
【００５５】
なお、情報配信システム１は、景品所有者２がトレーディングカード３に記載されているＵＲＬにアクセスし、情報配信サーバ１１においてＰＩＮナンバーに付与された配信情報Ａ２０をポイントとして蓄えるが、このポイントに加え、情報配信サーバ１１がおまけのポイントを、景品所有者２が登録者の時は加算するようにしても良い。この場合、ポイントを加算した後は、ポイント加算に使用したＰＩＮナンバーをデータベース１８に記録する。
さらに、複数のトレーディングカード３を使用して、夫々のトレーディングカード３に記載されているＰＩＮナンバーに付与された配信情報Ａ２０を、ポイントとして蓄えることでおまけのポイントを加算してポイントが貯められるようにしても良い。その結果、ポイントが貯まれば配信情報Ｂ２１と交換可能としても良く、データベース１８で管理可能なものであれば適宜変更可能である。なお、おまけのポイントについては、情報配信サーバ１１側で管理するものであれば、状況に応じて増減することが可能である。
これにより、景品所有者２が既存の登録者でない場合、会員ＩＤを発行しなければ、おまけのポイントを加算してポイントとして蓄えることができないため、新規会員の加入を促し、会員登録者の増加が可能となる。
【符号の説明】
【００５６】
１・・景品情報配信システム、２・・景品所有者、３・・トレーディングカード、４・・外部端末、１０・・インターネット、１１・・情報配信サーバ、１５・・通信Ｉ／Ｆ部、１６・・制御部、１７・・記録部、１８・・データベース、１９・・配信情報保存部、２０・・配信情報Ａ、２１・・配信情報Ｂ。
【図１】
2011015855.tif 000003
【図２】
2011015855.tif 000004